(57)【要約】【課題】表示部の画素の配置関係に起因するモアレを軽減するなどして表示される画像の質を高めることができる表示装置を提供する。【解決手段】二次元画像を表示する表示領域を有する表示部、及び、表示領域に表示される画像を水平方向に間隔を空けて並ぶ所定の観察位置において観察される画像に分離するための構造体が複数配置されて成る光学素子を備えており、表示領域には、水平方向と垂直方向とにマトリクス状に画素が配置されていると共に、平面形状の異なる画素が行毎に一定の周期で配置されており、光学素子の構造体は、垂直方向に対して、画素の個数を単位として（Ｊ＋０．５）／３を満たす傾き（但し、Ｊは３以上の整数）で傾くように配置されている。【選択図】  図１
2017181787.tif 000002
【特許請求の範囲】
【請求項１】
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
表示装置。
【請求項２】
表示領域の画素は、行方向に並ぶ３個の画素から成る群を構成し、
画素の個数を単位とした光学素子の構造体の水平方向ピッチを符号ＬＭX、
画素の個数を単位とした構造体の傾きを符号ＳＬ、
或る構造体を介して観察される画素群の或る色の垂直方向の中心位置と、或る構造体に対して１つの構造体を挟んで並ぶ構造体を介して観察される画素群の該或る色の垂直方向の中心位置との、画素の個数を単位とした垂直方向のずれを符号ＯＦＳ、
或る構造体を介して観察される画素と、或る構造体に対して１つの構造体を挟んで並ぶ構造体を介して観察される画素との水平方向の幅に含まれる画素群の数を符号ＮＰ、
と表すとき、
符号ＬＭXは非整数であり、
符号ＮＰは奇数であり、
２・ＬＭX＝３・ＮＰ＋（ＯＦＳ／ＳＬ）を満たす、
請求項１に記載の表示装置。
【請求項３】
表示領域には、平面形状の異なる２種類の画素が行毎に交互に配置されている、
請求項１に記載の表示装置。
【請求項４】
表示部は液晶表示パネルから成る、
請求項１に記載の表示装置。
【請求項５】
光学素子は、
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
請求項１に記載の表示装置。
【請求項６】
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
光学素子。
【請求項７】
構造体を構成するレンズは非球面形状である、
請求項６に記載の光学素子。
【請求項８】
構造体を構成するレンズは凸レンズ形状であり、
樹脂層は、構造体を構成する材料よりも屈折率が低い樹脂材料から成る、
請求項６に記載の光学素子。
【請求項９】
樹脂層の屈折率は１．２ないし１．４の間の値である、
請求項８に記載の光学素子。
【請求項１０】
構造体を構成するレンズは凹レンズ形状であり、
樹脂層は、構造体を構成する材料よりも屈折率が高い樹脂材料から成る、
請求項６に記載の光学素子。
【請求項１１】
樹脂層の屈折率は１．６ないし１．８の間の値である、
請求項１０に記載の光学素子。
【請求項１２】
樹脂層の膜厚は４０マイクロメートル以上である、
請求項６に記載の光学素子。
【請求項１３】
樹脂層のＥ硬度は３０以下である、
請求項６に記載の光学素子。
【請求項１４】
樹脂層の弾性率は５００ｋＰａ以下である、
請求項６に記載の光学素子。
【請求項１５】
樹脂層は紫外線硬化性の樹脂材料から成る、
請求項６に記載の光学素子。
【請求項１６】
平板は液晶表示パネルから成る、
請求項６に記載の光学素子。
【請求項１７】
表示装置を備えた電子機器であって、
表示装置は、
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
電子機器。
【発明の詳細な説明】
【技術分野】
【０００１】
本開示は、表示装置、光学素子、及び、電子機器に関する。より詳しくは、視差のある画像を表示することによって立体視が可能となる表示装置、立体視が可能となる表示装置に用いられる光学素子、及び、係る表示装置を備えた電子機器に関する。
【背景技術】
【０００２】
視差のある画像を画像観察者が観察することで立体視を実現する表示装置が、種々、知られている。裸眼方式の表示装置として、パララックスバリア（視差バリア）やレンズ列を備えたレンチキュラーレンズなどから成る光学分離用の光学素子と、液晶表示パネルなどから成る二次元画像を表示する表示部とを組み合わせた表示装置が提案されている（例えば、特開平５−１２２７３３号公報（特許文献１）を参照）。
【０００３】
裸眼方式の表示装置の動作の概念図を、図３０に示す。
【０００４】
レンチキュラーレンズから成る光学分離用の光学素子によって、符号２R，４R，６R，８Rを付した画素から出射された光線群は、視点１に達する（図２９Ａ参照）。また、符号１L，３L，５L，７Lを付した画素から出射された光線群は、視点２に達する（図２９Ｂ参照）。従って、表示部から所定距離をおいた位置にあっては、視点１の画像と視点２の画像とが独立して観察される。
【０００５】
画像観察者の右目と左目とがそれぞれ視点１と視点２とに位置するとき、符号２R，４R，６R，８Rを付した画素によって右眼用の画像を表示し、符号１L，３L，５L，７Lを付した画素によって左眼用の画像を表示すれば、画像観察者は、画像を立体画像として認識する。
【先行技術文献】
【特許文献】
【０００６】
【特許文献１】特開平５−１２２７３３号公報
【発明の概要】
【発明が解決しようとする課題】
【０００７】
高解像度化の進展によって、平面形状の異なる画素を行毎に交互に並べるといった構造の表示部が提案されている。例えば、インプレーンスイッチング（InPlane Switching：ＩＰＳ）方式等の横電界駆動型の液晶表示パネルにあっては、広視野角特性を得るために、１つのセル内に平面形状の異なる複数の表示領域を配置した、マルチドメイン構造が用いられていた。しかしながら、高解像度化によってセルの面積が縮小すると、１つのセル内に平面形状の異なる複数の表示領域を配置することが困難となる。このため、平面形状の異なる画素を行毎に交互に並べることによって、広視野角特性を維持するといったことが行われている。
【０００８】
平面形状の異なる画素を行毎に一定の周期で配置するといった構造の表示部と光学分離用の光学素子とを組み合わせる場合、表示部の画素の配置関係に起因するモアレが生ずるといったことが考えられる。また、レンズシートなどを用いた光学素子の表面は、埃の除去や耐擦傷の観点から、平坦であることが好ましい。平坦化にともなう界面反射などを減らすことができれば、画像の質を高めることができる。
【０００９】
本開示の目的は、表示部の画素の配置関係に起因するモアレを軽減するなどして表示される画像の質を高めることができる表示装置、電子機器、及び、光学素子を提供することにある。
【課題を解決するための手段】
【００１０】
上記の目的を達成するための本開示に係る表示装置は、
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
表示装置である。
【００１１】
上記の目的を達成するための本開示に係る光学素子は、
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
光学素子である。
【００１２】
上記の目的を達成するための本開示に係る電子機器は、
表示装置を備えた電子機器であって、
表示装置は、
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
電子機器である。
【発明の効果】
【００１３】
本開示に係る表示装置にあっては、光学素子の構造体の傾きを、垂直方向に対して所定の状態になるようにした。これによって、平面形状の異なる画素が行毎に一定の周期で配置されているといった画素の配置関係に起因するモアレが軽減される。また、本開示に係る光学素子にあっては、平板とレンチキュラーレンズ部との間の反射が軽減されるので、界面の反射によるコントラストの低下などが軽減される。従って、本開示に係る表示装置などにあっては、表示される画像の質を高めることができる。
【図面の簡単な説明】
【００１４】
【図１】図１は、第１の実施形態に用いられる表示装置を仮想的に分離したときの模式的な斜視図である。
【図２】図２は、表示装置の一部の模式的な断面図である。
【図３】図３は、平面形状の異なる画素が行毎に交互に並ぶといった構造を有する表示部における表示領域の一部の模式的な平面図である。
【図４】図４は、光学素子の構造体と表示部の表示領域における画素との配置関係を説明するための、光学素子および表示領域の一部の模式的な平面図である。
【図５】図５は、参考例の実施形態における光学素子の構造体と画素との配置関係を説明するための、光学素子および表示領域の一部の模式的な平面図である。
【図６】図６は、参考例の実施形態におけるモアレを説明するための図面代用写真である。
【図７】図７は、光学素子の構造体の傾きと観察される画素との関係を説明するための模式的な平面図である。
【図８】図８は、符号ＬＭXは非整数であり、符号ＮＰは奇数であり、２・ＬＭX＝３・ＮＰ＋（ＯＦＳ／ＳＬ）を満たす場合の例を示す模式的な平面図である。
【図９】図９は、図８に示す状態において、或る構造体を介して観察される画素群の或る色の垂直方向の中心位置と、或る構造体に対して１つの構造体を挟んで並ぶ構造体を介して観察される画素群の該或る色の垂直方向の中心位置を説明するための模式的な平面図である。
【図１０】図１０は、符号ＬＭXは非整数であり、符号ＮＰは偶数であり、２・ＬＭX＝３・ＮＰ＋（ＯＦＳ／ＳＬ）を満たす場合に、或る構造体を介して観察される画素群の或る色の垂直方向の中心位置と、或る構造体に対して１つの構造体を挟んで並ぶ構造体を介して観察される画素群の該或る色の垂直方向の中心位置を説明するための模式的な平面図である。
【図１１】図１１Ａと図１１Ｂとは、符号ＮＰが奇数の場合と偶数の場合との差を説明するための図であって、図１１Ａは図９に記した観察される中央の位置を抽出して示した図であり、図１１Ｂは図１０に記した観察される中央の位置を抽出して示した図である。
【図１２】図１２は、第１の実施形態におけるモアレを説明するための図面代用写真である。
【図１３】図１３は、光学素子の構成要素の屈折率を説明するための、表示装置の一部の模式的な断面図である。
【図１４】図１４は、構造体を構成するレンズ列を、法線方向がレンズ列の延びる方向となる平面で切断したとしたときの形状を説明するための模式的なグラフである。
【図１５】図１５は、樹脂層のＥ硬度とムラの程度との関係を説明するための模式的なグラフである。
【図１６】図１６は、樹脂層の膜厚と剥離の程度とを説明するための模式的なグラフである。
【図１７】図１７Ａないし図１７Ｃは、第１の実施形態に用いられる光学素子などの製造方法を説明するための模式図である。
【図１８】図１８Ａ及び図１８Ｂは、図１７Ｃに引き続き、第１の実施形態に用いられる光学素子などの製造方法を説明するための模式図である。
【図１９】図１９は、図１８Ｂに引き続き、第１の実施形態に用いられる光学素子などの製造方法を説明するための模式図である。
【図２０】図２０は、第１の実施形態の第１変形例における表示装置の一部の模式的な断面図である。
【図２１】図２１Ａないし図２１Ｃは、第１の実施形態の第１変形例に用いられる光学素子などの製造方法を説明するための模式図である。
【図２２】図２２は、図２１Ｃに引き続き、第１の実施形態の第１変形例に用いられる光学素子などの製造方法を説明するための模式図である。
【図２３】図２３は、第１の実施形態の第２変形例における表示装置の一部の模式的な断面図である。
【図２４】図２４Ａないし図２４Ｃは、第１の実施形態の第２変形例に用いられる光学素子などの製造方法を説明するための模式図である。
【図２５】図２５は、図２４Ｃに引き続き、第１の実施形態の第２変形例に用いられる光学素子などの製造方法を説明するための模式図である。
【図２６】図２６は、第１の実施形態の第２変形例に用いられる光学素子などの他の製造方法を説明するための模式図である。
【図２７】図２７は、第１の実施形態の第３変形例における表示装置の一部の模式的な断面図である。
【図２８】図２８Ａ及び図２８Ｂは、それぞれ、実施形態の表示装置が適用されるスマートフォンの外観を表したものである。
【図２９】図２９は、実施形態の表示装置が適用されるテレビジョン装置の外観を表したものである。
【図３０】図３０は、裸眼方式の表示装置の概念図である。
【発明を実施するための形態】
【００１５】
以下、図面を参照して、実施形態に基づき本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係る、表示装置、光学素子、及び、電子機器、全般に関する説明
２．第１の実施形態
３．適用例（電子機器の例）、その他
【００１６】
［本開示に係る表示装置および光学素子、全般に関する説明］
本開示の表示装置、あるいは又、本開示の電子機器に用いられる表示装置（以下、これらを総称して、単に「本開示の表示装置」と呼ぶ場合がある）において、
表示領域の画素は、行方向に並ぶ３個の画素から成る群を構成し、
画素の個数を単位とした光学素子の構造体の水平方向ピッチを符号ＬＭX、
画素の個数を単位とした構造体の傾きを符号ＳＬ、
或る構造体を介して観察される画素群の或る色の垂直方向の中心位置と、或る構造体に対して１つの構造体を挟んで並ぶ構造体を介して観察される画素群の該或る色の垂直方向の中心位置との、画素の個数を単位とした垂直方向のずれを符号ＯＦＳ、
或る構造体を介して観察される画素と、或る構造体に対して１つの構造体を挟んで並ぶ構造体を介して観察される画素との水平方向の幅に含まれる画素群の数を符号ＮＰ、
と表すとき、
符号ＬＭXは非整数であり、
符号ＮＰは奇数であり、
２・ＬＭX＝３・ＮＰ＋（ＯＦＳ／ＳＬ）を満たす、
構成とすることができる。
【００１７】
上述した各種の好ましい構成を含む本開示の表示装置において、
表示領域には、平面形状の異なる２種類の画素が行毎に交互に配置されている、
構成とすることができる。
【００１８】
上述した各種の好ましい構成を含む本開示の表示装置において、
表示部は液晶表示パネルから成る、
構成とすることができる。
【００１９】
上述した各種の好ましい構成を含む本開示の表示装置において、
光学素子は、
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
構成とすることができる。
【００２０】
本開示の光学素子、及び、上述した各種の好ましい構成を含む本開示の表示装置に用いられる光学素子（以下、これらを総称して、単に「本開示の光学素子」と呼ぶ場合がある）において、
構造体を構成するレンズは非球面形状である、
構成とすることができる。
【００２１】
この場合において、
構造体を構成するレンズは凸レンズ形状であり、
樹脂層は、構造体を構成する材料よりも屈折率が低い樹脂材料から成る、
構成とすることができ、更には、
樹脂層の屈折率は１．２ないし１．４の間の値である、
構成とすることができる。
【００２２】
あるいは又、構造体を構成するレンズは非球面形状である構成において、
構造体を構成するレンズは凹レンズ形状であり、
樹脂層は、構造体を構成する材料よりも屈折率が高い樹脂材料から成る、
構成とすることができ、更には、
樹脂層の屈折率は１．６ないし１．８の間の値である、
構成とすることができる。
【００２３】
上述した各種の好ましい構成を含む本開示の光学素子において、
樹脂層の膜厚は４０マイクロメートル以上である、
構成とすることができる。
【００２４】
上述した各種の好ましい構成を含む本開示の光学素子において、
樹脂層のＥ硬度は３０以下である、
構成とすることができる。
【００２５】
上述した各種の好ましい構成を含む本開示の光学素子において、
樹脂層の弾性率は５００ｋＰａ以下である、
構成とすることができる。
【００２６】
上述した各種の好ましい構成を含む本開示の光学素子において、
樹脂層は紫外線硬化性の樹脂材料から成る、
構成とすることができる。
【００２７】
本開示の表示装置、あるいは又、本開示の電子機器に用いられる表示装置（以下、これらを総称して、単に「本開示の表示装置」と呼ぶ場合がある）において、駆動部は、表示領域の全面に右目用の画像を表示する右目用画像データから右目用の画像を表示すべき画素に対応する画像データを選択して当該画素を駆動し、表示領域の全面に左目用の画像を表示する左目用画像データから左目用の画像を表示すべき画素に対応する画像データを選択して当該画素を駆動する構成とすることができる。
【００２８】
表示装置は、表示部と画像観察者との間に光学素子が配置される構成とすることができる。表示部として、液晶表示パネルやエレクトロルミネッセンス表示パネルなどを用いることができる。表示部は、モノクロ表示であってもよいし、カラー表示であってもよい。
【００２９】
光学素子の構成や配置等は、表示装置の仕様等に応じて適宜設定すればよい。光学素子としてパララックスバリアを用いる場合には、固定的なパララックスバリアを用いてもよいし、動的に切り替え可能なパララックスバリアを用いてもよい。
【００３０】
固定的なパララックスバリアは、樹脂やガラスなどといった周知の透明な材料から成る基材を用いて、フォトリソグラフ法とエッチング法との組合せ、スクリーン印刷法・インクジェット印刷法・メタルマスク印刷法といった各種印刷法、メッキ法（電気メッキ法や無電解メッキ法）、リフトオフ法等の周知の方法により形成することができる。一方、動的に切り替え可能なパララックスバリアは、例えば、液晶材料層を備えた電気的に切り替え可能なライトバルブによって構成することができる。液晶材料層を用いたライトバルブを構成する材料の種類や、液晶材料層の動作モードは特に限定するものではない。場合によっては、モノクロ表示の液晶表示パネルを動的なパララックスバリアとして用いることもできる。パララックスバリアの開口部の大きさ等は、表示装置の仕様等に応じて適宜設定すればよい。
【００３１】
また、光学素子としてレンズシートを用いる場合、周知の透明な材料から成るシート状の基材の上に例えば感光性の樹脂材料等を用いてレンズ列が形成されているレンズシートを用いればよい。
【００３２】
表示装置が透過型表示パネルと照明部とを備えている構成にあっては、広く周知の照明部を用いることができる。照明部の構成は、特に限定するものではない。一般に、照明部は、光源、プリズムシート、拡散シート、導光板等といった周知の部材から構成することができる。
【００３３】
後述する実施形態においては、アクティブマトリクス方式の透過型液晶表示パネルを表示部として用い、構造体としてのレンズ列が形成されている光学素子を用いる。
【００３４】
液晶表示パネルは、例えば、透明共通電極を備えたフロントパネル、透明画素電極を備えたリアパネル、及び、フロントパネルとリアパネルとの間に配置された液晶材料から成る。液晶表示パネルの動作モードは特に限定するものではない。所謂ＴＮモードで駆動される構成であってもよいし、ＶＡモードあるいはＩＰＳモードで駆動される構成であってもよい。カラー液晶表示パネルの場合、基板の内面にアクリル系樹脂やエポキシ系樹脂から成るオーバーコート層によって被覆されたカラーフィルターが設けられ、オーバーコート層上に透明共通電極が形成された構成を有している。
【００３５】
表示部の解像度（Ｐ，Ｑ）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）、ＱＦＨＤ（３８４０，２１６０）の他、（１９２０，１０３５）、（７２０，４８０）、（１２８０，９６０）等、画像表示用解像度の幾つかを例示することができるが、これらの値に限定するものではない。
【００３６】
表示部を駆動する駆動部は、例えば、画像信号処理部、タイミング制御部、データドライバ及びゲートドライバ等の種々の回路から構成することができる。これらは周知の回路素子等を用いて構成することができる。
【００３７】
［実施形態に用いられる表示装置の説明］
図１は、実施形態に用いられる表示装置を仮想的に分離したときの模式的な斜視図である。
【００３８】
図１に示すように、表示装置１は、
二次元画像を表示する表示領域１１を有する表示部１０、及び、
表示領域１１に表示される画像を水平方向に間隔を空けて並ぶ所定の観察位置において観察される画像に分離するための構造体３１が複数配置されて成る光学素子３０、
を備えている。表示部１０は、駆動部１００によって駆動される。
【００３９】
表示領域１１には、水平方向と垂直方向とにマトリクス状に画素１２が配置されていると共に、平面形状の異なる画素が行毎に一定の周期で配置されている。光学素子３０の構造体３１は、垂直方向に対して、画素１２の個数を単位として（Ｊ＋０．５）／３を満たす傾き（但し、Ｊは３以上の整数）で傾くように配置されている。構造体３１や画素１２の配列関係については、後述する図３ないし図１１を参照して、後で詳しく説明する。
【００４０】
より具体的には、駆動部１００は、
表示領域１１の全面に右目用の画像を表示する右目用画像データから右目用の画像を表示すべき画素１２に対応する画像データを選択して当該画素１２を駆動し、
表示領域１１の全面に左目用の画像を表示する左目用画像データから左目用の画像を表示すべき画素１２に対応する画像データを選択して当該画素１２を駆動する。尚、観察者の頭部の位置を検出して能動的に制御を行うといった構成とすることもできる。
【００４１】
表示部１０は、液晶表示パネル、より具体的には、ＩＰＳ方式のカラー液晶表示パネルから成る。表示部１０の背面には、光を照射する照明部２０が配置されている。
【００４２】
図２は、表示装置の一部の模式的な断面図である。
【００４３】
表示部１０は、光学素子３０側のフロントパネル１６、照明部２０側のリアパネル１４、フロントパネル１６とリアパネル１４との間に配置された液晶材料層１５などから構成されている。尚、配線層や遮光層の図示は省略した。リアパネル１４の照明部２０側の面には偏光板１３が配され、フロントパネル１６の表面には偏光板１７が配されている。偏光板１３，１７は、表示部１０の仕様に応じて、クロスニコルもしくはパラレルニコルの関係となるように配される。
【００４４】
照明部２０は、光源、プリズムシート、拡散シート、導光板等といった部材（これらは図示せず）から構成されている。拡散シート等を介した拡散光が、図１に示す発光面２１から、表示部１０の裏面に向かって照射される。
【００４５】
表示部１０の正面側には、レンチキュラーレンズから成る構造体３１が複数配置されて成る光学素子３０が配されている。
【００４６】
光学素子３０と表示部１０とにおけるＺ方向の間隔、Ｘ方向における画素１２のＸ方向におけるピッチ、開口部３１の延びる方向とＹ方向とが成す角度、開口部３１のＸ方向におけるピッチは、表示装置１の仕様上定めた観察位置において好ましい立体画像が観察できる条件を満たすように設定されている。
【００４７】
図１に示すように、観察位置ＡU/4が右目用の基準位置に対応し、観察位置Ａ3U/4が左目用の基準位置に対応するように設定されているとする。符号Ｕの値は表示装置１の仕様に応じて設定すればよく、例えば２４などの値とすることができる。
【００４８】
光学素子３０は、基材３２、及び、基材３２上に形成され、構造体３１を構成するレンズが複数配置されて成るレンチキュラーレンズ部を含んでいる。尚、説明の都合上、符号３１をレンチキュラーレンズ部を示すものとして用いる場合がある。レンチキュラーレンズ部３１とレンチキュラーレンズ部３１に対向する平板（ここでは表示部１０を構成する液晶表示パネル）との間は、レンチキュラーレンズ部３１を構成する材料とは屈折率が異なる樹脂層３３で充填されている。構造体３１を構成するレンズは非球面形状の凸レンズ形状であり、樹脂層３３は、構造体３１を構成する材料よりも屈折率が低い樹脂材料から成る。これらについては、後述する図１３ないし図２７を参照して、後で詳しく説明する。
【００４９】
図３は、平面形状の異なる画素が行毎に交互に並ぶといった構造を有する表示部における表示領域の一部の模式的な平面図である。
【００５０】
表示領域１１には、水平方向（図においてＸ方向）にＰ個、垂直方向（図においてＹ方向）にＱ個、合計Ｐ×Ｑ個の画素１２がマトリクス状に配列されている。画素１２と画素１２との間には、ブラックマトリックスＢＭが設けられている。第ｐ列（但し、ｐ＝１，２・・・，Ｐ）、第ｑ行目（但し、ｑ＝１，２・・・，Ｑ）の画素１２を、第（ｐ，ｑ）番目の画素１２あるいは画素１２(p,q)と表す。図３にあっては、赤色表示画素、緑色表示画素および青色表示画素を、それぞれ、符号Ｒ，Ｇ，Ｂを用いて表した。
【００５１】
表示領域１１には、平面形状の異なる画素１２が行毎に一定の周期で配置されている。第１の実施形態にあっては、表示領域１１には、平面形状の異なる２種類の画素が行毎に交互に配置されている。即ち、（＋Ｘ，＋Ｙ）方向に傾いた形状（以下、［Ａ型］と呼ぶ）の画素１２と、（−Ｘ，＋Ｙ）方向に傾いた形状（以下、［Ｂ型］と呼ぶ）の画素１２とが、行毎に交互に並んでいる。
【００５２】
画素１２は、例えば、第１列目が赤色表示画素、第２列目が緑色表示画素、第３列目が青色表示画素といった順で配列されており、第４列目以降も同様の順を繰り返すように配列されている。表示領域１１の画素は、行方向に並ぶ３個の画素から成る画素群を構成する。即ち、行方向に並ぶ、赤色表示画素、緑色表示画素、青色表示画素の３つによって、一つの画素群が構成される。
【００５３】
図１に示す表示部１０の解像度は、ＱＦＨＤ（３８４０，２１６０）である。表示部１０の１ピクセルが水平方向に並ぶ赤色表示画素、緑色表示画素および青色表示画素の群から構成されるとすれば、Ｐ＝３８４０×３、Ｑ＝２１６０である。即ち、上述の例では、Ｐ＝１１５２０、Ｑ＝２１６０である。また、表示部１０は、例えば対角が略１３インチといった大きさである。
【００５４】
図４は、光学素子の構造体と表示部の表示領域における画素との配置関係を説明するための、光学素子および表示領域の一部の模式的な平面図である。尚、説明の都合上、画素は仮想的に同一矩形かつ平面充填的な形状であるとして記した。また、画素のＸ方向のピッチを符号ＰＬX、Ｙ方向のピッチを符号ＰＬYと表す。尚、ＰＬY＝３×ＰＬXといった関係である。
【００５５】
光学素子３０の構造体３１は、垂直方向に対して傾くように配置されている。傾きを符号ＳＬで表す。傾きＳＬは画素１２の個数を単位として計算される。図４に示すように、例えば、Ｘ方向に１画素分ずれる毎にＹ方向に１画素分ずれるといった場合、ＳＬ＝１／１＝１である。Ｘ方向に４画素分ずれる毎にＹ方向に５画素分ずれるといった場合、ＳＬ＝５／４＝１．２５である。Ｘ方向に１画素分ずれる毎にＹ方向に２画素分ずれるといった場合、ＳＬ＝２／１＝２である。
【００５６】
ここで、本開示の理解を助けるために、構造体３１の傾きＳＬ＝１．２５といった参考例の例における現象について説明する。
【００５７】
図５は、参考例の実施形態における光学素子の構造体と画素との配置関係を説明するための、光学素子および表示領域の一部の模式的な平面図である。図６は、参考例の実施形態におけるモアレを説明するための図面代用写真である。
【００５８】
図５における符号ＬＭXは、構造体３１のＸ方向の配列ピッチを表す。ここでは、配列ピッチＬＭX＝（２４／５）×ＰＬXといった設定とされている。
【００５９】
上述の設定の場合、図３に示すように行毎に形状の異なる画素との配置関係によって、ある位置ではＡ型の画素１２が主に観測され、他の位置ではＢ型の画素１２が主に観測されるといった現象が生ずる。これはモアレの原因となる。図６の右側は、シミュレーションによる画像を示し、図６の左側は、実機の写真を示す。筋状のモアレは、表示される画像の品位を著しく低下させる。
【００６０】
発明者は、検討の結果、光学素子３０の構造体３１が、垂直方向に対して、画素１２の個数を単位として（Ｊ＋０．５）／３を満たす傾き（但し、Ｊは３以上の整数）で傾くように配置されることで、筋状のモアレの程度を軽減できることを見出した。
【００６１】
図７は、光学素子の構造体の傾きと観察される画素との関係を説明するための模式的な平面図である。尚、図示の都合上、形状の違いは［Ａ型］と［Ｂ型］と記すことで表し、図示上は仮想的に同一矩形かつ平面充填的な形状であるとして表した。
【００６２】
例えば、傾きＳＬ＝２の場合、同色（例えば緑色）の画素について主に同型（図の例では［Ａ型］）の画素が観察されるといった現象が起こる。また、傾きＳＬ＝２の場合、［Ａ型］、［Ａ型］及び［Ｂ型］、［Ｂ型］といった繰り返しで画素が観察される。これに対し、例えば傾きＳＬ＝（３＋０．５）／３といった設定の場合、［Ａ型］、［Ｂ型］及び［Ａ型］、［Ｂ型］、［Ａ型］及び［Ｂ型］・・・、といった繰り返しで画素が観察される。このように、繰り返しの周期が長くなるため、干渉によるパターンが視認されにくくなる。
【００６３】
また、第１の実施形態において、
表示領域の画素は、行方向に並ぶ３個の画素から成る群を構成し、
画素の個数を単位とした光学素子の構造体の水平方向ピッチを符号ＬＭX、
画素の個数を単位とした構造体の傾きを符号ＳＬ、
或る構造体を介して観察される画素群の或る色の垂直方向の中心位置と、或る構造体に対して１つの構造体を挟んで並ぶ構造体を介して観察される画素群の該或る色の垂直方向の中心位置との、画素の個数を単位とした垂直方向のずれを符号ＯＦＳ、
或る構造体を介して観察される画素と、或る構造体に対して１つの構造体を挟んで並ぶ構造体を介して観察される画素との水平方向の幅に含まれる画素群の数を符号ＮＰ、
と表すとき、
符号ＬＭXは非整数であり、
符号ＮＰは奇数であり、
２・ＬＭX＝３・ＮＰ＋（ＯＦＳ／ＳＬ）を満たす、
ように設定されている。
【００６４】
以下、図面を参照して詳しく説明する。
【００６５】
図８は、符号ＬＭXは非整数であり、符号ＮＰは奇数であり、２・ＬＭX＝３・ＮＰ＋（ＯＦＳ／ＳＬ）を満たす場合の例を示す模式的な平面図である。尚、ＧＰＬX＝３×ＰＬXといった関係である。
【００６６】
この例は、符号ＮＰ＝３、符号ＯＦＳ＝（１＋１／３）、ＳＬ＝（３＋０．５）／３といった場合の例を示す。ある視点から観察される特定色の画素（ここでは緑色）を太線で囲み、更に、画素の水平方向の中心に丸印を付した。
【００６７】
ここで、図８の画素の水平方向の中心の分布について説明する。
【００６８】
図９は、図８に示す状態において、或る構造体を介して観察される画素群の或る色の垂直方向の中心位置と、或る構造体に対して１つの構造体を挟んで並ぶ構造体を介して観察される画素群の該或る色の垂直方向の中心位置を説明するための模式的な平面図である。
【００６９】
図に示すように、構造体を介して観察される画素群の該或る色の中心は、構造体に沿って延びる線上に、所定の周期で分布する。しかしながら、隣合う構造体の間では、略半周期ほどずれて分布する。
【００７０】
ここで、本開示の理解を助けるため、符号ＮＰが偶数の場合について説明する。
【００７１】
図１０は、符号ＬＭXは非整数であり、符号ＮＰは偶数であり、２・ＬＭX＝３・ＮＰ＋（ＯＦＳ／ＳＬ）を満たす場合に、或る構造体を介して観察される画素群の或る色の垂直方向の中心位置と、或る構造体に対して１つの構造体を挟んで並ぶ構造体を介して観察される画素群の該或る色の垂直方向の中心位置を説明するための模式的な平面図である。
【００７２】
この場合においても、構造体を介して観察される画素群の該或る色の中心は、構造体に沿って延びる線上に、所定の周期で分布する。しかしながら、隣合う構造体の間での、周期のずれは少ない。
【００７３】
次いで、符号ＮＰを奇数とする意義について説明する。
【００７４】
図１１Ａと図１１Ｂとは、符号ＮＰが奇数の場合と偶数の場合との差を説明するための図であって、図１１Ａは図９に記した観察される中央の位置を抽出して示した図であり、図１１Ｂは図１０に記した観察される中央の位置を抽出して示した図である。
【００７５】
図を対比して明らかなように、符号ＮＰが奇数である場合の図１１Ａは、符号ＮＰが偶数である場合の図１１Ｂに対して画素の中心が線上に並ぶ程度が軽減されている。従って、画素の中心の分布に基づく縞模様の程度も軽減される。
【００７６】
図１２は、第１の実施形態におけるモアレを説明するための図面代用写真である。図１２の右側は、シミュレーションによる画像を示し、図１２の左側は、実機の写真を示す。図６に比べて、縦縞が軽減されていることが分かる。
【００７７】
引き続き、光学素子３０の構造について、図面を参照して詳しく説明する。
【００７８】
図１３は、光学素子の構成要素の屈折率を説明するための、表示装置の一部の模式的な断面図である。
【００７９】
図１３の左側は、レンチキュラーレンズの前に前面板を配置した参考例の構成を示す。前面板は、スペーサを介してレンチキュラーレンズ部と対向する。基材３２はソーダガラスやアクリルなどの透明材料から構成され、屈折率は概ね１．５である。レンチキュラーレンズ部３１は紫外線硬化性の樹脂材料から構成される。レンチキュラーレンズ部３１の屈折率ｎL≒１．５である。基材３２と表示部１０とは接着層によって接着されている。
【００８０】
前面板はソーダガラスやアクリルなどの透明材料から構成され、その屈折率ｎP≒１．５である。空隙は空気層であり、空気層の屈折率ｎAir≒１．０である。
【００８１】
この構成には、前面板と空気層との界面などにより反射が生じ、コントラストの低下や重複した像が観察されるなどといった課題がある。
【００８２】
図１３の右側は、第１の実施形態の構成を示す。レンチキュラーレンズ部３１とレンチキュラーレンズ部３１に対向する平板（ここでは表示部１０を構成する液晶表示パネル）との間は、レンチキュラーレンズ部３１を構成する材料とは屈折率が異なる樹脂層３３で充填されている。樹脂層３３の屈折率ｎMは、ｎAir＜ｎM＜ｎLといった関係になるように設定されている。
【００８３】
より具体的には、樹脂層３３は、フッ素系樹脂を主材料とする紫外線硬化性の樹脂材料から構成されており、膜厚は略９０マイクロメートル、ｎM＝１．３２といった値である。
【００８４】
この設定によれば、図１３の左側よりも界面による反射が軽減され、画像のコントラストも改善される。ＭＣ−２５００（ＫＯＮＩＫＡ  ＭＩＮＯＬＴＡ社製）を用いた測定では、反射率は参考例で５．４％、第１の実施形態の構成で２．２％という結果であった。
【００８５】
第１の実施形態の構成にあっては、レンチキュラーレンズ部の界面での屈折率差が少なくなるため、レンズの曲率を大きくしなければならない。しかしながら、単純に曲率を大きくすると収差も大きくなる。
【００８６】
そこで、第１の実施形態にあっては、非球面形状を採用して収差の低減を図った。図１４は、構造体を構成するレンズ列を、法線方向がレンズ列の延びる方向となる平面で切断したとしたときの形状を説明するための模式的なグラフである。実線は今回採用した非球面形状を示し、破線は球面の参考形状を示す。
【００８７】
次いで、樹脂層３３の硬度について説明する。
【００８８】
樹脂層３３の硬度が高くなるほど、表示部１０に加わる応力も強くなる傾向がある。これによって、表示部１０の周囲に輝度ムラが生ずる。
【００８９】
樹脂層３３の硬度を変えて、輝度ムラに対して５点満点の１０段階評価を行った。なお、樹脂層３３の膜厚は略９０マイクロメートルとした。結果を図１５に示す。
【００９０】
官能評価で評価３．０以上は、輝度ムラが許容範囲とされる。結果から、Ｅ硬度が３０以下、より好ましくは、Ｅ硬度が１０以下であると輝度ムラが良好という結果が得られた。尚、Ｅ硬度はデュロメータ  タイプＥを用いて測定した。同様の観点から、樹脂層３３の弾性率は５００ｋＰａ以下であることが好ましい。
【００９１】
また、樹脂層３３は、接着強度の観点から、ある程度以上の膜厚にすることが好ましい。膜厚を変えて、剥離に対する評価を行った。結果を図１６に示す。
【００９２】
膜厚を変えたサンプルを１００種用意し、剥離についての評価を行った。その結果、膜厚が４０マイクロメートル以上であれば、剥離が認められないという結果となった。従って、樹脂層３３の膜厚は４０マイクロメートル以上であることが好ましい。
【００９３】
次いで、図１７ないし図１９を参照して、光学素子３０などの製造方法について説明する。
【００９４】
図１７Ａないし図１７Ｃは、第１の実施形態に用いられる光学素子などの製造方法を説明するための模式図である。図１８Ａ及び図１８Ｂは、図１７Ｃに引き続き、第１の実施形態に用いられる光学素子などの製造方法を説明するための模式図である。
【００９５】
先ず、透明材料から成る基材３２を準備し（図１７Ａ）、その表面に、紫外線硬化性の樹脂材料を周知の塗布方法を用いて塗布し、材料層３１’を形成する（図１７Ｂ）。その後、材料層３１’の上にレンズ成型用のマスク３９を配置し、基材３２側から紫外線を照射する（図１７Ｃ）。
【００９６】
その後、マスク３９を除去することで、基材３２の上にレンチキュラーレンズ部３１が形成される（図１８Ａ）。
【００９７】
次いで、表示部１０の上に、樹脂層３３の元となる紫外線硬化性の樹脂材料を周知の塗布方法を用いて塗布し、材料層３３’を形成する（図１８Ｂ）。
【００９８】
その後、材料層３３’とレンチキュラーレンズ部３１が対向するように重ねる（図１９）。その後、紫外線を照射することによって材料層３３’を硬化させ、樹脂層３３を形成する。
【００９９】
引き続き、第１の実施形態の第１変形例について説明する。
【０１００】
図２０は、第１の実施形態の第１変形例における表示装置の一部の模式的な断面図である。
【０１０１】
第１変形例では、基材３２、レンチキュラーレンズ部３１、材料層３３、フィルム３４から成る積層体を先ず形成し、その積層体と表示部１０とを接着層３５で接着する。
【０１０２】
次いで、図２１ないし図２２を参照して、光学素子３０などの製造方法について説明する。
【０１０３】
図１７ないし図１８を参照して説明したと同様に、基材３２の上にレンチキュラーレンズ部３１を形成する（図２１Ａ）。次いで、レンチキュラーレンズ部３１の上に、樹脂層３３の元となる紫外線硬化性の樹脂材料を周知の塗布方法を用いて塗布し、材料層３３’を形成する（図２１Ｂ）。その後、例えばＰＥＴから成るフィルム３４を重ね、紫外線を照射し、積層体を形成する（図２１Ｃ）。得られた積層体と、表示部１０とを接着層３５によって接着する（図２２）。
【０１０４】
引き続き、第１の実施形態の第２変形例について説明する。
【０１０５】
図２３は、第１の実施形態の第２変形例における表示装置の一部の模式的な断面図である。
【０１０６】
第２変形例は、基材３２と表示部１０とを接着層３５で接着した構成である。
【０１０７】
次いで、図２４ないし図２５を参照して、光学素子３０などの製造方法について説明する。
【０１０８】
図１７ないし図１８を参照して説明したと同様に、基材３２の上にレンチキュラーレンズ部３１を形成する（図２４Ａ）。次いで、レンチキュラーレンズ部３１の上に、樹脂層３３の元となる紫外線硬化性の樹脂材料を周知の塗布方法を用いて塗布し、材料層３３’を形成する（図２４Ｂ）。その後、例えばガラス材料から成る前面板３６を重ね、紫外線を照射し、積層体を形成する（図２４Ｃ）。得られた積層体と、表示部１０とを接着層３５によって接着する（図２５）。
【０１０９】
尚、図２４Ａに示すレンチキュラーレンズと表示部１０とを接着層３５によって接着した後、レンチキュラーレンズ部３１の上に材料層３３’を形成し、次いで、例えばガラス材料から成る前面板３６を重ね、紫外線を照射するといった構成としてもよい（図２６）。
【０１１０】
引き続き、第１の実施形態の第３変形例について説明する。
【０１１１】
図２７は、第１の実施形態の第３変形例における表示装置の一部の模式的な断面図である。
【０１１２】
この変形例では、構造体３１を構成するレンズは凹レンズ形状である。レンズ特性を確保するために、樹脂層３３は、構造体３１を構成する材料よりも屈折率が高い樹脂材料から成る。例えば、構造体３１の屈折率ｎL≒１．３、樹脂層３３の屈折率ｎM≒１．６ないし１．８といった値とすることが好ましい。
【０１１３】
［適用例（電子機器の例）］
上述した表示装置の電子機器への適用例について説明する。電子機器として、外部から入力された映像信号あるいは内部で生成した映像信号を、画像あるいは映像として表示する電子機器を挙げることができる。
（適用例１）
図２８Ａ及び図２８Ｂはそれぞれ、上記の実施形態の表示装置が適用されるスマートフォンの外観を表したものである。このスマートフォン２００，２００’は、例えば、映像表示画面部２０１，２０１’を有している。この映像表示画面部２００，２０１’が上記の実施形態の表示装置により構成されている。上記の実施形態の表示装置を適用することにより、クロストークの少ない立体画像を表示することができるため、このスマートフォン２００，２０１’の品質向上に貢献することができる。
【０１１４】
（適用例２）
図２９は、上記の実施形態の表示装置が適用されるテレビジョン装置の外観を表したものである。このテレビジョン装置３００は、例えば、映像表示画面部３０１を有している。この映像表示画面部３０１が実施形態の表示装置により構成されている。上記の実施形態の表示装置を適用することにより、上記の実施形態の表示装置を適用することにより、クロストークの少ない立体画像を表示することができるため、このテレビジョン装置３００の品質向上に貢献することができる。
【０１１５】
以上、本開示の実施形態について具体的に説明したが、本開示は、上述の実施形態に限定されるものではなく、本開示の技術的思想に基づく各種の変形が可能である。例えば、上述の実施形態において挙げた数値、構造、基板、原料、プロセスなどはあくまでも例に過ぎず、必要に応じて、これらと異なる数値、構造、基板、原料、プロセスなどを用いてもよい。
【０１１６】
尚、本開示の技術は以下のような構成も取ることができる。
［Ａ１］
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
表示装置。
［Ａ２］
表示領域の画素は、行方向に並ぶ３個の画素から成る群を構成し、
画素の個数を単位とした光学素子の構造体の水平方向ピッチを符号ＬＭX、
画素の個数を単位とした構造体の傾きを符号ＳＬ、
或る構造体を介して観察される画素群の或る色の垂直方向の中心位置と、或る構造体に対して１つの構造体を挟んで並ぶ構造体を介して観察される画素群の該或る色の垂直方向の中心位置との、画素の個数を単位とした垂直方向のずれを符号ＯＦＳ、
或る構造体を介して観察される画素と、或る構造体に対して１つの構造体を挟んで並ぶ構造体を介して観察される画素との水平方向の幅に含まれる画素群の数を符号ＮＰ、
と表すとき、
符号ＬＭXは非整数であり、
符号ＮＰは奇数であり、
２・ＬＭX＝３・ＮＰ＋（ＯＦＳ／ＳＬ）を満たす、
上記［Ａ１］に記載の表示装置。
［Ａ３］
表示領域には、平面形状の異なる２種類の画素が行毎に交互に配置されている、
上記［Ａ１］または［Ａ２］に記載の表示装置。
［Ａ４］
表示部は液晶表示パネルから成る、
上記［Ａ１］ないし［Ａ３］のいずれかに記載の表示装置。
［Ａ５］
光学素子は、
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
上記［Ａ１］ないし［Ａ４］のいずれかに記載の表示装置。
［Ａ６］
構造体を構成するレンズは非球面形状である、
上記［Ａ５］に記載の表示装置。
［Ａ７］
構造体を構成するレンズは凸レンズ形状であり、
樹脂層は、構造体を構成する材料よりも屈折率が低い樹脂材料から成る、
上記［Ａ５］または［Ａ６］に記載の表示装置。
［Ａ８］
樹脂層の屈折率は１．２ないし１．４の間の値である、
上記［Ａ７］に記載の表示装置。
［Ａ９］
構造体を構成するレンズは凹レンズ形状であり、
樹脂層は、構造体を構成する材料よりも屈折率が高い樹脂材料から成る、
上記［Ａ５］または［Ａ６］に記載の表示装置。
［Ａ１０］
樹脂層の屈折率は１．６ないし１．８の間の値である、
上記［Ａ９］に記載の表示装置。
［Ａ１１］
樹脂層の膜厚は４０マイクロメートル以上である、
上記［Ａ５］ないし［Ａ１０］のいずれかに記載の表示装置。
［Ａ１２］
樹脂層のＥ硬度は３０以下である、
上記［Ａ５］ないし［Ａ１１］のいずれかに記載の表示装置。
［Ａ１３］
樹脂層の弾性率は５００ｋＰａ以下である、
上記［Ａ５］ないし［Ａ１２］のいずれかに記載の表示装置。
［Ａ１４］
樹脂層は紫外線硬化性の樹脂材料から成る、
上記［Ａ５］ないし［Ａ１３］のいずれかに記載の表示装置。
［Ｂ１］
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
光学素子。
［Ｂ２］
構造体を構成するレンズは非球面形状である、
上記［Ｂ１］に記載の光学素子。
［Ｂ３］
構造体を構成するレンズは凸レンズ形状であり、
樹脂層は、構造体を構成する材料よりも屈折率が低い樹脂材料から成る、
上記［Ｂ１］または［Ｂ２］に記載の光学素子。
［Ｂ４］
樹脂層の屈折率は１．２ないし１．４の間の値である、
上記［Ｂ３］に記載の光学素子。
［Ｂ５］
構造体を構成するレンズは凹レンズ形状であり、
樹脂層は、構造体を構成する材料よりも屈折率が高い樹脂材料から成る、
上記［Ｂ１］または［Ｂ２］に記載の光学素子。
［Ｂ６］
樹脂層の屈折率は１．６ないし１．８の間の値である、
上記［Ｂ５］に記載の光学素子。
［Ｂ７］
樹脂層の膜厚は４０マイクロメートル以上である、
上記［Ｂ１］ないし［Ｂ６］のいずれかに記載の光学素子。
［Ｂ８］
樹脂層のＥ硬度は３０以下である、
上記［Ｂ１］ないし［Ｂ７］のいずれかに記載の光学素子。
［Ｂ９］
樹脂層の弾性率は５００ｋＰａ以下である、
上記［Ｂ１］ないし［Ｂ８］のいずれかに記載の光学素子。
［Ｂ１０］
樹脂層は紫外線硬化性の樹脂材料から成る、
上記［Ｂ１］ないし［Ｂ９］のいずれかに記載の光学素子。
［Ｂ１１］
平板は液晶表示パネルから成る、
上記［Ｂ１］ないし［Ｂ１０］のいずれかに記載の光学素子。
［Ｃ１］
表示装置を備えた電子機器であって、
表示装置は、
二次元画像を表示する表示領域を有する表示部、及び、
表示領域に表示される画像を水平方向に間隔を空けて並ぶ所定の観察位置において観察される画像に分離するための構造体が複数配置されて成る光学素子、
を備えており、
表示領域には、水平方向と垂直方向とにマトリクス状に画素が配置されていると共に、平面形状の異なる画素が行毎に一定の周期で配置されており、
光学素子の構造体は、垂直方向に対して、画素の個数を単位として（Ｊ＋０．５）／３を満たす傾き（但し、Ｊは３以上の整数）で傾くように配置されている、
電子機器。
［Ｃ２］
表示領域の画素は、行方向に並ぶ３個の画素から成る群を構成し、
画素の個数を単位とした光学素子の構造体の水平方向ピッチを符号ＬＭX、
画素の個数を単位とした構造体の傾きを符号ＳＬ、
或る構造体を介して観察される画素群の或る色の垂直方向の中心位置と、或る構造体に対して１つの構造体を挟んで並ぶ構造体を介して観察される画素群の該或る色の垂直方向の中心位置との、画素の個数を単位とした垂直方向のずれを符号ＯＦＳ、
或る構造体を介して観察される画素と、或る構造体に対して１つの構造体を挟んで並ぶ構造体を介して観察される画素との水平方向の幅に含まれる画素群の数を符号ＮＰ、
と表すとき、
符号ＬＭXは非整数であり、
符号ＮＰは奇数であり、
２・ＬＭX＝３・ＮＰ＋（ＯＦＳ／ＳＬ）を満たす、
上記［Ｃ１］に記載の電子機器。
［Ｃ３］
表示領域には、平面形状の異なる２種類の画素が行毎に交互に配置されている、
上記［Ｃ１］または［Ｃ２］に記載の電子機器。
［Ｃ４］
表示部は液晶表示パネルから成る、
上記［Ｃ１］ないし［Ｃ３］のいずれかに記載の電子機器。
［Ｃ５］
光学素子は、
基材、及び、
基材上に形成され、構造体を構成するレンズが複数配置されて成るレンチキュラーレンズ部、
を含んでおり、
レンチキュラーレンズ部とレンチキュラーレンズ部に対向する平板との間は、レンチキュラーレンズ部を構成する材料とは屈折率が異なる樹脂層で充填されている、
上記［Ｃ１］ないし［Ｃ４］のいずれかに記載の電子機器。
［Ｃ６］
構造体を構成するレンズは非球面形状である、
上記［Ｃ５］に記載の電子機器。
［Ｃ７］
構造体を構成するレンズは凸レンズ形状であり、
樹脂層は、構造体を構成する材料よりも屈折率が低い樹脂材料から成る、
上記［Ｃ５］または［Ｃ６］に記載の電子機器。
［Ｃ８］
樹脂層の屈折率は１．２ないし１．４の間の値である、
上記［Ｃ７］に記載の電子機器。
［Ｃ９］
構造体を構成するレンズは凹レンズ形状であり、
樹脂層は、構造体を構成する材料よりも屈折率が高い樹脂材料から成る、
上記［Ｃ５］または［Ｃ６］に記載の電子機器。
［Ｃ１０］
樹脂層の屈折率は１．６ないし１．８の間の値である、
上記［Ｃ９］に記載の電子機器。
［Ｃ１１］
樹脂層の膜厚は４０マイクロメートル以上である、
上記［Ｃ５］ないし［Ｃ１０］のいずれかに記載の電子機器。
［Ｃ１２］
樹脂層のＥ硬度は３０以下である、
上記［Ｃ５］ないし［Ｃ１１］のいずれかに記載の電子機器。
［Ｃ１３］
樹脂層の弾性率は５００ｋＰａ以下である、
上記［Ｃ５］ないし［Ｃ１２］のいずれかに記載の電子機器。
［Ｃ１４］
樹脂層は紫外線硬化性の樹脂材料から成る、
上記［Ｃ５］ないし［Ｃ１３］のいずれかに記載の電子機器。
【符号の説明】
【０１１７】
１・・・表示装置、１０・・・表示部、１１・・・表示領域、１２・・・画素、１３・・・偏光板、１４・・・基板、１５・・・液晶材料層、１６・・・基板、１７・・・偏光板、２０・・・照明部、２１・・・発光面、３０・・・光学素子、３１・・・構造体（レンチキュラーレンズ部）、３１’・・・材料層、３２・・・基材、３３・・・樹脂層、３３’・・・材料層、３４・・・フィルム、３５・・・接着層、３２・・・基材、４０・・・光学素子、４１・・・構造体、４２・・・基材、４３・・・低屈折樹脂層、４４・・・前面板、４５・・・基板、１００・・・駆動部、２００，２００’・・・スマートフォン、２００，２０１’・・・映像表示画面部、３００・・・テレビジョン装置、３０１・・・映像表示画面部、ＢＭ・・・ブラックマトリックス、ＤＲ・・・右目用画像データ、ＤＬ・・・左目用画像データ、Ａ1〜ＡU・・・観察位置、ＳＬ・・・構造体の傾き、ＰＬX・・・画素のＸ方向ピッチ、ＰＬY・・・画素のＹ方向ピッチ、ＧＰＬX・・・画素群のＸ方向ピッチ、ＬＭX・・・構造体のＸ方向ピッチ
【図１】
2017181787.tif 000003
【図２】
2017181787.tif 000004
【図３】
2017181787.tif 000005
【図４】
2017181787.tif 000006
【図５】
2017181787.tif 000007
【図６】
2017181787.tif 000008
【図７】
2017181787.tif 000009
【図８】
2017181787.tif 000010
【図９】
2017181787.tif 000011
【図１０】
2017181787.tif 000012
【図１１】
2017181787.tif 000013
【図１２】
2017181787.tif 000014
【図１３】
2017181787.tif 000015
【図１４】
2017181787.tif 000016
【図１５】
2017181787.tif 000017
【図１６】
2017181787.tif 000018
【図１７】
2017181787.tif 000019
【図１８】
2017181787.tif 000020
【図１９】
2017181787.tif 000021
【図２０】
2017181787.tif 000022
【図２１】
2017181787.tif 000023
【図２２】
2017181787.tif 000024
【図２３】
2017181787.tif 000025
【図２４】
2017181787.tif 000026
【図２５】
2017181787.tif 000027
【図２６】
2017181787.tif 000028
【図２７】
2017181787.tif 000029
【図２８】
2017181787.tif 000030
【図２９】
2017181787.tif 000031
【図３０】
2017181787.tif 000032